(57)【特許請求の範囲】
【請求項１】
銅元素を含有する構成部材を冷媒循環系内に有する冷凍機に適用される、基油を主とする潤滑油組成物であって、
潤滑剤および金属不活性剤を含み、
前記潤滑剤の配合量が、総重量に対して０．１重量％以上４．０重量％以下、若しくはリン含有量として０．１ｍｇ／ｇ以上３．５ｍｇ／ｇであり、
前記金属不活性剤がＮ，Ｎ−ビス（２−エチルヘキシル）−４−メチルベンゾトリアゾール−１−メチルアミン、Ｎ，Ｎ−ビス（２−エチルヘキシル）−５−メチルベンゾトリアゾール−１−メチルアミンまたはそれらの混合物のベンゾトリアゾール系化合物であり、該ベンゾトリアゾール系化合物の配合量が総重量に対して０．０３重量％以上０．１重量％以下であり、
前記潤滑剤が、
一般式（Ｉ）
【化１】
0005909083.tif 000012
（式中、Ｒ１、Ｒ２、及びＲ３は、それぞれ独立に置換基を有する芳香族化合物である）で表される化合物及びその位置異性体が混合されてなり、且つ、分子内に硫黄元素が存在しないリン酸エステル化合物Ａと、
一般式（ＩＩ）
【化２】
0005909083.tif 000013
（式中、Ｒ４、Ｒ５、及びＲ６は、それぞれ芳香族化合物である）で表され、さらに位置異性体が混在しない化合物からなり、且つ、分子内に硫黄元素が存在しないリン酸エステル化合物Ｂと、
を含む、少なくとも２種類以上のリン酸エステル化合物から構成され、
リン酸エステル化合物Ａ／リン酸エステル化合物Ｂの重量比が、１よりも大きく、且つ、３以下である潤滑油組成物。
【請求項２】
酸捕捉剤としてグリシジル系エステル化合物またはグリシジル系エーテル化合物のいずれかを含む請求項１に記載の潤滑油組成物。
【発明の詳細な説明】
【技術分野】
【０００１】
本発明は、潤滑油組成物に関し、特に、銅元素を含む構成部材を含む系内に適用される潤滑油組成物に関するものである。
【背景技術】
【０００２】
空調装置は、少なくとも圧縮機、凝縮器、膨張弁、及び蒸発器から構成される。空調装置の各構成要素は冷媒配管により閉回路として連結されており、冷媒及び冷凍機油が相溶した混合液が密閉された系内を循環する構造となっている。冷媒配管としては、コスト低減のためキャピラリー銅配管が用いられる。混合液は、気体から２相流、そして液体へと変化しながら系内で循環される。冷凍機油として、潤滑性及び熱・化学安定性を有する冷凍機油組成物が開発されている（特許文献１及び特許文献２参照）。
【先行技術文献】
【特許文献】
【０００３】
【特許文献１】特開平４−１２６７９７号公報（請求項１）
【特許文献２】特許第３１３９５１７号公報（段落［０００４］）
【発明の概要】
【発明が解決しようとする課題】
【０００４】
冷凍機油は、冷媒とともに空調装置の密閉系内で長期間にわたり循環されるため、高い信頼性が要求される。しかしながら、現状の冷凍機油を長期間循環させると、キャピラリー管が閉塞するという問題が生じる。キャピラリー管が詰まると、冷凍機油及び冷媒の流量低下が発生し、不冷及び圧縮系の故障に繋がる恐れがある。また、冷却配管として銅配管が使用される場合、摺動部に銅メッキが発生するという問題が生じる。摺動部に銅メッキが発生するとクリアランスが狭くなり、凝着固着を引き起こし、焼き付けが起こる恐れがある。
【０００５】
本発明は、このような事情に鑑みてなされたものであって、銅元素を含む構成部材を含む系内を銅メッキの発生を抑制するとともに、冷却配管を閉塞させることのない冷凍機油を提供することを目的とする。
【課題を解決するための手段】
【０００６】
従来使用されている冷凍機油には、潤滑性を高めるために硫黄系の添加剤が含有されている。本発明者らは、系内に銅元素を含む密閉系の配管を詰まらせる要因は、冷凍機油に含まれる硫黄系の添加剤にあると推定し、硫黄系の添加剤を含まない冷凍機油を開発した。しかしながら、硫黄系の添加剤を除くと、冷凍機油の潤滑性が低下し、摺動部に銅メッキが発生してしまうという別の課題が生じた。
そこで、上記課題を解決するために、本発明は、銅元素を含有する構成部材を冷媒循環系内に有する冷凍機に適用される、基油を主とする潤滑油組成物であって、潤滑剤が、総重量に対して０．１重量％以上４．０重量％以下、若しくはリン含有量として０．１ｍｇ／ｇ以上３．５ｍｇ／ｇとなるよう配合され、前記潤滑剤が、一般式（I）
【化１】
0005909083.tif 000002
（式中、Ｒ１、Ｒ２、及びＲ３は、それぞれ独立に置換基を有する芳香族化合物である）で表される化合物及びその位置異性体が混合されてなり、且つ、分子内に硫黄元素が存在しないリン酸エステル化合物Ａと、一般式（II）
【化２】
0005909083.tif 000003
（式中、Ｒ４、Ｒ５、及びＲ６は、それぞれ芳香族化合物である）で表され、さらに位置異性体が混在しない化合物からなり、且つ、分子内に硫黄元素が存在しないリン酸エステル化合物Ｂと、を含む、少なくとも２種類以上のリン酸エステル化合物から構成され、リン酸エステル化合物Ａ／リン酸エステル化合物Ｂの重量比が、１よりも大きい潤滑油組成物を提供する。
【０００７】
上記発明によれば、硫黄元素を積極的に排除することで、キャピラリー配管の詰まりを防止できる潤滑油組成物となる。硫黄を含まないリン系潤滑剤は、硫黄を含む潤滑剤と比べて潤滑性が低い傾向を示すが、上記発明によれば、少なくともリン酸エステル化合物Ａ及びリン酸エステル化合物Ｂを含む２種類以上の正リン酸エステル化物を配合することで、所望の潤滑性を得ることができる。これにより、硫黄元素を除いたことによる摩耗量の増加を抑制することが可能となる。また、潤滑性を得ることができるため、銅メッキを発生し難くさせることができる。潤滑剤の配合量は、潤滑油組成物の総重量に対して０．１重量％以上４．０重量％以下とされる。リン系潤滑剤は配合することで、潤滑油組成物の潤滑性を向上させることができる。一方、潤滑剤が多すぎると酸性腐食が生じる恐れがある。例えば、リン系潤滑剤が５重量％以上であると腐食摩耗に繋がる。
上記発明によれば、潤滑剤としてリン酸エステル化合物Ａ及びリン酸エステル化合物Ｂを配合することで、いずれか一方のみを配合するより潤滑性が向上する。リン酸エステル化合物Ａはリン酸エステル化合物Ｂよりも多く（重量）配合する。それにより、ＡとＢを同量配合したものより潤滑性が向上する。
【０００８】
上記発明の一態様において、前記リン酸エステル化合物Ａ／リン酸エステル化合物Ｂの重量比が、１よりも大きく、且つ、３以下であり、１．５以上３以下であることが更に好ましい。
【０００９】
上記発明の一態様によれば、リン酸エステル化合物Ａ／リン酸エステル化合物Ｂの重量比を上記範囲とすることで、良好な潤滑性が得られる。特にリン酸エステル化合物Ｂの代表的な化合物であるトリフェニルホスフェイトを１重量％以上配合すると海洋汚染物質規制に該当してしまうため、リン酸エステル化合物Ｂの重量比を大きくした配合は製品化しにくい。
【００１０】
上記発明の一態様において、金属不活性剤としてＮ，Ｎ−ビス（２−エチルヘキシル）−４−メチルベンゾトリアゾール−１−メチルアミン、Ｎ，Ｎ−ビス（２−エチルヘキシル）−５−メチルベンゾトリアゾール−１−メチルアミンまたはそれらの混合物のベンゾトリアゾール系化合物が総重量に対して０．０３重量％以上０．１重量％以下で配合される。
【００１１】
上記発明の一態様によれば、ベンゾトリアゾール系化合物を上記範囲内で配合することで、ロータリー圧縮機の摺動部などにおける銅メッキの発生を防止することができる。ベンゾトリアゾール系化合物が多すぎると、ポリオールエステルなどの基油への溶解性が低下し、処方が困難となる。ベンゾトリアゾール系化合物は、１重量％であれば、ポリオールエステル系の基油に完全に溶解する。
【００１２】
上記発明の一態様において、酸捕捉剤としてグリシジル系エステル化合物またはグリシジル系エーテル化合物のいずれかが配合されることが好ましい。
【００１３】
上記発明の一態様によれば、酸捕捉剤を配合することにより、生成した有機酸を補足できるため、銅メッキの発生を防止することが可能となる。
【発明の効果】
【００１４】
本発明によれば、潤滑油組成物に少なくともリン酸エステル化合物Ａ及びリン酸エステル化合物Ｂを含む２種類以上のリン系潤滑剤を配合することで、配管の詰まりを抑制するとともに、銅メッキの発生を防止することができる。それによって、絞り弁の信頼性、及び空調装置の信頼性を高めることができる。また、リン系潤滑剤を用いることで、潤滑油組成物の原価を低減することができる。
【図面の簡単な説明】
【００１５】
【図１】各潤滑油組成物を循環させたときの流量と時間との関係を示すグラフである。
【図２】潤滑性評価試験の結果を示すグラフである。
【図３】潤滑性評価試験の結果を示すグラフである。
【図４】潤滑性評価試験の結果を示すグラフである。
【図５】熱化学安定性試験及び潤滑性評価試験の結果を示すグラフである。
【図６】金属不活性化剤の添加量と銅メッキ発生量との関係を示すグラフである。
【発明を実施するための形態】
【００１６】
以下に、本発明に係る潤滑油組成物の一実施形態について、図面を参照して説明する。
【００１７】
本実施形態に係る潤滑油組成物は、基油に、潤滑剤が含まれる構成とされる。
基油としては、鉱物油、アルキルベンゼン、ポリアルキレングリコール（ＰＡＧ）、ポリビニルエーテル（ＰＶＥ）、ポリオールエステル系化合物（ＰＯＥ）などが用いられる。ポリオールエステル系化合物は、多価アルコールとＣ５〜Ｃ１８の直鎖または分岐脂肪酸を原料とする。多価アルコールは、ペンタエリスリトール（ＰＥ）、ネオペンチルグリコール（ＮＰＧ）、及びトリメチロールプロパン（ＴＭＰ）などとされる。ロータリー圧縮機などに適用される場合、例えば、粘度グレードがＶＧ６８のＰＯＥなどを基油とすると良い。
【００１８】
潤滑剤は、潤滑油組成物の総重量に対して０．１重量％以上４．０重量％以下、若しくはリン含有量として０．１ｍｇ／ｇ以上３．５ｍｇ／ｇとなるよう配合される。潤滑剤は、少なくともリン酸エステル化合物Ａ及びリン酸エステル化合物Ｂを含む２種類以上の正リン酸エステル化合物から構成される。潤滑剤は、分子内に硫黄（Ｓ）元素を含まない。
【００１９】
リン酸エステル化合物Ａは、一般式（I）で表される化合物及びその位置異性体が混合されてなり、且つ、分子内に硫黄元素が存在しない。
【化３】
0005909083.tif 000004
式中、Ｒ１、Ｒ２、及びＲ３は、それぞれ独立に置換基を有する芳香族化合物である。
【００２０】
リン酸エステル化合物Ａは、例えば、モノ−ｍ又はｐ−トルイル−ジフェニルホスフェイト、ジ−ｍ又はｐ−トルイル−モノフェニルホスフェイト、トリ−ｍ又はｐ−トルイルホスフェイト（トリクレジルホスフェイト（ＴＣＰ））、モノ−ｍ又はｐ−トルイル−ジキシレニルホスフェイト、ジ−ｍ又はｐ−トルイル−モノキシレニルホスフェイト、モノ−ｍ又はｐ−トルイル−ジキシレニルホスフェイト、ジ−ｍ又はｐ−トルイル−モノキシレニルホスフェイト、トリス（ｍ又はｐ−ターシャリーブチルフェニル）−ホスフェイト、ビス−（ｍ又はｐ−ターシャリーブチルフェニル）−モノ−フェニルホスフェイト、モノ−（ｍ又はｐ−ターシャリーブチルフェニル）−ジフェニルホスフェイトなどから選択され得る。
【００２１】
リン酸エステル化合物Ｂは、一般式（II）で表され、さらに位置異性体が混在しない化合物からなり、且つ、分子内に硫黄元素が存在しない。
【化４】
0005909083.tif 000005
式中、Ｒ４、Ｒ５、及びＲ６は、それぞれ芳香族化合物である。
【００２２】
リン酸エステル化合物Ｂは、例えば、トリフェニルホスフェイト（ＴＰＰ））、トリキシレニルホスフェイト、モノフェニル−ジキシレニルホスフェイト、ジフェニル−モノキシレニルホスフェイトなどから選択され得る。
【００２３】
リン酸エステル化合物Ａ及びリン酸エステル化合物Ｂは、リン酸エステル化合物Ａがリン酸エステル化合物Ｂよりも多く（重量比）なるよう配合される。リン酸エステル化合物Ａ／リン酸エステル化合物Ｂ（重量比）は、１よりも大きく３以下とすると良い。
【００２４】
潤滑油組成物は、金属不活性剤としてベンゾトリアゾール系化合物またはその誘導体あるいはそれらの混合物が配合されると良い。ベンゾトリアゾール系化合物またはその誘導体としては、１Ｈ−ベンゾトリアゾール、４−メチルベンゾトリアゾール、５−メチルベンゾトリアゾール、ベンゾトリアゾール−１−メチルアミン、４−メチルベンゾトリアゾール−１−メチルアミン、５−メチルベンゾトリアゾール−１−メチルアミン、Ｎ−メチルベンゾトリアゾール−１−メチルアミン、Ｎ−エチルベンゾトリアゾール−１−メチルアミン、Ｎ，Ｎ−ジメチルベンゾトリアゾール−１−メチルアミン、Ｎ，Ｎ−ジエチルベンゾトリアゾール−１−メチルアミン、Ｎ，Ｎ−ジプロピルベンゾトリアゾール−１−メチルアミン、Ｎ，Ｎ−ジブチルベンゾトリアゾール−１−メチルアミン、Ｎ，Ｎ−ジヘキシルベンゾトリアゾール−１−メチルアミン、Ｎ，Ｎ−ジオクチルベンゾトリアゾール−１−メチルアミン、Ｎ，Ｎ−ビス（２−エチルヘキシル）−ベンゾトリアゾール−１−メチルアミン、Ｎ，Ｎ−ジメチル−４−ベンゾトリアゾール−１−メチルアミン、Ｎ，Ｎ−ジメチル−５−ベンゾトリアゾール−１−メチルアミン、Ｎ，Ｎ−ジエチル−４−ベンゾトリアゾール−１−メチルアミン、Ｎ，Ｎ−ジエチル−５−ベンゾトリアゾール−１−メチルアミン、Ｎ，Ｎ−ジプロピル−４−ベンゾトリアゾール−１−メチルアミン、Ｎ，Ｎ−ジプロピル−５−ベンゾトリアゾール−１−メチルアミン、Ｎ，Ｎ−ジブチル−４−ベンゾトリアゾール−１−メチルアミン、Ｎ，Ｎ−ジブチル−５−ベンゾトリアゾール−１−メチルアミン、Ｎ，Ｎ−ジヘキシル−４−ベンゾトリアゾール−１−メチルアミン、Ｎ，Ｎ−ジヘキシル−５−ベンゾトリアゾール−１−メチルアミン、Ｎ，Ｎ−ビス（２−エチルヘキシル）−４−メチルベンゾトリアゾール−１−メチルアミン、Ｎ，Ｎ−ビス（２−エチルヘキシル）−５−メチルベンゾトリアゾール−１−メチルアミン、Ｎ，Ｎ−ジオレイル−４−メチルベンゾトリアゾール−１−メチルアミン、Ｎ，Ｎ−ジオレイル−５−メチルベンゾトリアゾール−１−メチルアミン、Ｎ，Ｎ−ジステアリル−４−メチルベンゾトリアゾール−１−メチルアミン、Ｎ，Ｎ−ジステアリル−５−メチルベンゾトリアゾール−１−メチルアミンなどを用いることができる。
【００２５】
ベンゾトリアゾール系化合物は、潤滑油組成物の総重量に対して０．０３重量％以上１重量％以下、好ましくは０．０５重量％以上１重量％以下で配合すると良い。ベンゾトリアゾール系化合物量が多くなると、基油への溶解度が低下し、処方が困難となる。例えば、ベンゾトリアゾールは、１重量％であればＰＯＥに完全溶解するが、３重量％では加熱撹拌時に溶解しその後や静置すると析出してくる。また、５重量％では、加熱撹拌しても完全に溶解しなくなる。
【００２６】
潤滑油組成物は、エポキシ系酸捕捉剤としてグリシジル系エステル化合物またはグリシジル系エーテル化合物のいずれかが配合されると良い。エポキシ系酸捕捉剤としては、ブチルグリシジルエーテル、酪酸グリシジルエステル、ヘキシルグリシジルエーテル、ヘキサン酸グリシジルエステル、２−エチルヘキシルグリシジルエーテル、２−エチルヘキサン酸グリシジルエステル、ネオペンチルグリシジルエーテル、ピバル酸グリシジルエステル、デシルグリシジルエーテル、デカン酸グリシジルエステル、ステアリルグリシジルエーテル、ステアリン酸グリシジルエステル、オレイルグリシジルエーテル、オレイン酸グリシジルエステル、フェニルグリシジルエーテル、安息香酸グリシジルエステル、トルイルグリシジルエーテル、キシレニルグリシジルエーテル、ターシャリーブチルフェニルグリシジルエーテル、フタル酸グリシジルエステル、オキサシクロヘキシルメチルオキサシクロヘキシルカルボン酸エステルなどを用いることができる。
【００２７】
潤滑油組成物は、フェノール系酸化防止剤が配合されると良い。フェノール系酸化防止剤としては、２，６−ジターシャリーブチルヒドロキシトルエン、４，４´−メチレンビス（２，６−ジターシャリーブチルヒドロキシトルエン）、２，２´−メチレンビス（４−メチル−６−ターシャリーブチルフェノール）、３，５−ジターシャリーブチル−４−ヒドロキシフェニルプロピオン酸−２−エチルヘキシルエステル、３−ターシャリーブチル−４−ヒドロキシ−５−メチルフェニルプロピオン酸−２−エチルヘキシルエステル、３，５−ジターシャリーブチル−４−ヒドロキシフェニルプロピオン酸トリデシルエステル、３−ターシャリーブチル−４−ヒドロキシ−５−メチルフェニルプロピオン酸トリデシルエステル、３，５−ジターシャリーブチル−４−ヒドロキシフェニルプロピオン酸ステアリルエステル、３−ターシャリーブチル−４−ヒドロキシ−５−メチルフェニルプロピオン酸ステアリルエステル、ビス（３，５−ジターシャリーブチル−４−ヒドロキシフェニルプロピオン酸）―トリグリコールエステル、ビス（３−ターシャリーブチル−４−ヒドロキシ−５−メチルフェニルプロピオン酸）―トリグリコールエステル、２，５−ターシャリーアミルヒドロキノンなどを用いることができる。
【００２８】
本実施形態に係る潤滑油組成物は、銅元素を含有する構成部材が備えられた冷媒循環系を有する冷凍機に適用され得る。銅メッキを引き起こす主要因は冷媒に含まれる塩素である。現状のカーエアコンは、銅配管がほとんど使用されていない上、冷媒としても塩素系のものから非塩素系のものへと移行する傾向にある。一方、ルームエアコンでは、コストを抑えるために銅配管が使用されることが多く、冷媒に塩素系が含まれたものも使用されている。また、配管の詰まりは冷媒循環系内の水分が除去できていない状態で起こりやすいが、カーエアコンにはドライヤー機能が備わっていることが多く、ルームエアコンの方がより水分を除去し難い構成といえる。よって、本実施形態に係る潤滑油組成物は、銅配管を備えるルームエアコンの冷媒循環系に適用されることが好ましい。また、圧力環境が厳しい（圧力が高い）と、銅メッキが発生しやすい。よって、本実施形態に係る潤滑油組成物は、圧力環境がより厳しいとされるロータリー系の圧縮機を備えたルームエアコンの冷媒循環系に適用されることがより好ましい。
【００２９】
なお、基油の特性を変化させないよう、添加剤（潤滑剤、金属不活性剤、酸捕捉剤、及び酸化防止剤）の総配合量は、潤滑油組成物の総重量に対して３重量％程度に留めると良い。
【実施例】
【００３０】
以下で示す潤滑油組成物をそれぞれ調製し、実施例１、参考例１及び比較例１とした。基油は、ＰＯＥ  ＶＧ６８を用いた。
【表１】
0005909083.tif 000006
＊ＴＡＴＰ：トリアリールチオホスフェイト
＊ＴＰＰ：トリフェニルホスフェイト
＊ＴＣＰ：トリ−ｍ−トルイルホスフェイト及びトリ−ｐ−トルイルホスフェイトの混合物
＊ＢＨＴ：２，６−ジターシャリーブチルヒドロキシトルエン
＊ＢＴＡ：Ｎ，Ｎ−ビス（２−エチルヘキシル）−４−メチルベンゾトリアゾール−１−メチルアミン及びＮ，Ｎ−ビス（２−エチルヘキシル）−５−メチルベンゾトリアゾール−１−メチルアミンの混合物
＊酸捕捉剤Ｂ：デシルグリシジンエステル
＊酸捕捉剤Ａ：オクチルグリシジルエーテル
＊酸捕捉剤Ｃ：Ｎ，Ｎ’−ビス（ジイソプロピルフェニル）カルボジイミド
【００３１】
実施例１、参考例１及び比較例１の潤滑油組成物を、ルームエアコン用ロータリー圧縮機の密閉系内で長時間循環させ、経時的な流量プロファイルを測定した。ロータリー圧縮機の上部軸受、ロータ、及び下部軸受は、鉄（ＳＣＭ）製とした。詳細な条件は以下に示す。
冷媒：Ｒ４１０Ａ
キャピラリーチューブ：銅製、φ１．１×５００ｍｍ、３本
運転時間：１０００時間
吐出圧力（飽和温度）：３．２５ＭＰａ（５４．４℃）
吸入圧力（飽和温度）：０．８９ＭＰａ（７．２℃）
吐出ガス温度：１２０℃
膨張弁前温度：４６．１℃
【００３２】
図１に、各潤滑油組成物を循環させたときの流量及び時間の関係を示す。同図において、横軸が時間、縦軸が流量である。比較例１の潤滑油組成物を循環させた場合、流量は一旦２．０ｋｇ／ｍｉｎから２．２ｋｇ／ｍｉｎまで上昇したが、１５０時間を過ぎたあたりから徐々に低下し、５００時間が経過した時点で１．９ｋｇ／ｍｉｎ以下となった。一方、実施例１及び参考例１の潤滑油組成物をそれぞれ循環させた場合、流量は２．５ｋｇ／ｍｉｎから徐々に低下したが、１０００時間が経過した時点でも２．３ｋｇ／ｍｉｎを維持していた。なお、図１において実施例１及び参考例１のプロファイルの前半で流量が１．８ｋｇ／ｍｉｎまで下がっている部分は、電源をＯＮ/ＯＦＦしたときの推移であり、本検討の結果に影響するものではない。
【００３３】
各潤滑油組成物を上記条件で循環させた後、キャピラリーチューブを長手方向に沿って切断し、断面を光学顕微鏡で観察した。比較例１では、キャピラリーチューブ内壁が茶褐色に変化し、析出物（酸化銅）が観察された。一方、実施例１及び参考例１では、キャピラリーチューブ内壁は金属光沢を残しており、析出物は認められなかった。
【００３４】
各潤滑油組成物を上記条件で循環させた後、圧縮機の摺動部材（上部軸受／ロータ／下部軸受）を分解し、摺動部での銅メッキの発生の有無を目視で確認した。その結果、参考例１では銅メッキが発生したが、実施例１及び比較例１では銅メッキの発生は認められなかった。
【００３５】
上記結果から、参考例１は、キャピラリーチューブの詰まりを抑制できるが、摺動部などにおいて銅メッキを発生させることが確認された。これは、参考例１の潤滑剤がＳを含有していないことにより潤滑性が低下したことに起因すると考えられる。一方、実施例１は、キャピラリーチューブの詰まりを抑制するとともに、摺動部などにおける銅メッキの発生も抑制できた。
【００３６】
次に、表２、表３、及び表４に示すように、種類の異なる潤滑剤を独立して含む潤滑油組成物１〜１４、潤滑油組成物１５〜２３、潤滑油組成物２４〜２７、及び実施例１をそれぞれ調製し、潤滑性評価試験を実施した。潤滑剤以外の添加物及び基油は、実施例１と同様の組成とした。
【００３７】
【表２】
0005909083.tif 000007
＊ＴＰＰ：トリフェニルホスフェイト
＊ＴＣＰ：トリ−ｍ−トルイルホスフェイト及びトリ−ｐ−トルイルホスフェイトの混合物
＊ＴＡＴＰ：トリフェニルチオホスフェイト、モノ−（ｍ又はｐ−ターシャリーブチルフェニル）−ジフェニルチオホスフェイト、ジ−（ｍ又はｐ−ターシャリーブチルフェニル）−モノフェニルチオホスフェイト、及びトリ−（ｍ又はｐ−ターシャリーブチルフェニル）チオホスフェイトの混合物
＊ＴＯＰ：トリオクチルホスファイト
＊ＴＯｌＰ：トリオレイルホスフェイト
＊ＤＯｌＰｉ：ジオレイルハイドロジェンホスファイト
【００３８】
【表３】
0005909083.tif 000008
【００３９】
【表４】
0005909083.tif 000009
【００４０】
潤滑性評価試験は、Ｆａｌｅｘ潤滑試験機を用い、以下の条件で実施した。なお、本試験では、バブリング開始直後に加熱を開始した。
吹き込み：Ｒ４１０Ａ  １０Ｌ／ｈｒ
回転数：２９０ｒｐｍ（滑り速度  ０．１ｍ／ｓ）
開始温度：６０℃
荷重：２５０ｌｂｓ（Ｔ）
時間：２０分
バブリング時間：２０分
電流：６０ｍＡ
【００４１】
図２に、表２の潤滑油組成物を用いた潤滑性評価試験の結果を示す。同図において、縦軸が摩耗量である。
図２によれば、硫黄−リン系の潤滑剤を用いた潤滑油組成物９の摩耗量が３．６０ｍｇ、正リン酸系の潤滑剤を用いた潤滑油組成物１０〜１３の摩耗量が４．５０ｍｇ〜５．３０ｍｇ、亜リン酸系の潤滑剤を用いた潤滑油組成物１４の摩耗量が０．１０ｍｇとなった。これにより、潤滑油組成物全量に対して同じ含有率であれば、硫黄元素を含む方が潤滑性の高い潤滑油組成物となることが確認された。また、亜リン酸エステルを含む潤滑油組成物の潤滑性も高かった。亜リン酸エステルは正リン酸エステルより活性が極めて高いため、金属と反応して摩耗を抑制する被膜を造る効果が高くなったものと考えられる。しかしながら、硫黄元素や亜リン酸エステルを含む潤滑油組成物は、配管の詰まりを発生させる恐れがある。
【００４２】
図２によれば、潤滑油組成物１及び潤滑油組成物３の摩耗量は３．５０ｍｇであった。これにより、ＴＣＰまたはＴＰＰの含有率を２倍にすることで、硫黄を含まない潤滑剤を用いた潤滑油組成物あっても、硫黄−リン系の潤滑剤を用いた潤滑油組成物９と同等の潤滑性を示すことが確認された。また、潤滑油組成物１、潤滑油組成物５、及び潤滑油組成物７を比較すると、潤滑剤の含有率を４重量％まで高くすることで、摩耗量は２．０ｍｇ以下となった。一方、２種類の正リン酸系の潤滑剤が混在する潤滑油組成物２、潤滑油組成物４、潤滑油組成物６、及び潤滑油組成物８の摩耗量は、それぞれ１．９５ｍｇ、１．９５ｍｇ、０．９０ｍｇ、及び１．９０ｍｇとなった。これにより、潤滑油組成物全量に対して同じ含有率であれば、２種類の正リン酸系の潤滑剤を含有させた方が、より潤滑性の高い潤滑油組成物となることが確認された。
【００４３】
図３に、表３の潤滑油組成物を用いた潤滑性評価試験の結果を示す。同図において、縦軸が摩耗量である。潤滑油組成物１５、及び潤滑油組成物１６の摩耗量は３〜３．５ｍｇであった。潤滑剤を２種類混合した潤滑油組成物６、潤滑油組成物１７〜２３及び実施例１は摩耗量が３よりも低くなった。また、図３によれば潤滑材の含有率は高いほど、摩耗量は低下した。潤滑油組成物２２では、摩耗量が１．５ｍｇ以下となったが、この潤滑油組成物はＴＰＰの含有率が２．０重量％も配合されているため、海洋汚染防止法の規制により実機で使用することはできない。一方、潤滑油組成物６では、ＴＰＰの含有率が１．０重量％であったが、ＴＣＰを２．０重量％配合することにより、摩耗量を１．５ｍｇ以下とすることができた。
【００４４】
図４に、表４の潤滑油組成物を用いた潤滑性評価試験の結果を示す。同図において、横軸がリン含有量、縦軸が摩耗量である。図４によれば、摩耗量は、潤滑油組成物中のリン含有量が増えるに従い低下した。一方、リン含有量が２．７ｍｇ／ｇを超えると摩耗量は上昇に転じた。リン含有量が３．５ｍｇ／ｇでは、摩耗量が１．５ｍｇであった。これにより、潤滑剤を添加することで、摩耗量を低下させる効果が得られ、潤滑油組成物中のリン含有量は、３．５ｍｇ／ｇ以下が好ましいことが確認された。
【００４５】
次に、表５に示す潤滑油組成物をそれぞれ調製し、実施例２〜実施例５、参考例２及び比較例２とした。基油は、ＰＯＥ  ＶＧ６８を用いた。
【表５】
0005909083.tif 000010
【００４６】
実施例２〜５、参考例２及び比較例２について、熱化学安定性試験及び潤滑性評価試験を実施した。
熱化学安定性試験は、シールドグラスチューブ（ＳＧＴ）を用い、ＪＩＳ  Ｋ  ２２１１に準じて実施した。詳細な実験条件を以下に示す。
冷媒：Ｒ４１０Ａ
封入量：１ｇ／５ｇ（油面５ｍｍ）
温度：２００℃
期間：３日間
水分：５０ｐｐｍ以下
触媒（Ｆｅ、Ｃｕ、及びＡｌ）：各８０ｍｍ
酸化銅（ＣｕＯ）：６０ｍｍ×２（触媒同様磨いた銅を８００℃×１０分加熱）
２−エチルヘキサン酸：４０００ｐｐｍ（外割  ０．４質量％）
【００４７】
潤滑性評価試験は、Ｆａｌｅｘ潤滑試験機を用い、以下の条件で実施した。なお、本試験では、バブリング開始直後に加熱を開始した。
吹き込み：Ｒ４１０Ａ  １０Ｌ／ｈｒ
回転数：２９０ｒｐｍ（滑り速度  ０．１ｍ／ｓ）
開始温度：６０℃
荷重：２５０ｌｂｓ（Ｔ）
時間：２０分
バブリング時間：２０分
電流：６０ｍＡ
【００４８】
図５に、熱化学安定性試験及び潤滑性評価試験の結果を示す。なお、詳細な数値は、表５に記載した。同図において、横軸が評価した潤滑油組成物、縦軸（左）がＣｕ析出量、縦軸（右）が摩耗量、棒がＣｕ析出量、■プロットが摩耗量である。
【００４９】
図５によれば、Ｃｕ析出量は、参考例２で最も多かった。また、実施例２〜実施例５のＣｕ析出量は比較例２よりも少なかった。なかでも実施例２及び実施例５は、特にＣｕ析出量が少なかった。摩耗量は、比較例２及び参考例２がそれぞれ２．６ｍｇ及び２．７ｍｇであり、実施例２〜実施例５はいずれも比較例２と同等またはそれ以下となった。上記結果によれば、実施例２〜実施例５は、硫黄−リン系の潤滑剤を含む潤滑油組成物と同等以上の潤滑性を示すとともに、Ｃｕの析出も低減できる。
【００５０】
次に、潤滑油組成物中における金属不活性剤の含有量を変化させ、ＳＧＴ試験により銅メッキ発生量を測定した。詳細な試験条件を以下に示す。
ＳＧＴ：大
試験油：実施例２の潤滑油組成物（ただし、金属不活性剤の含有量は０ｐｐｍ〜７００ｐｐｍ）
冷媒：Ｒ４１０Ａ
封入量：１ｇ／５ｇ（油面５ｍｍ）
温度：２００℃
期間：３日間
水分：５０ｐｐｍ以下
触媒（Ｆｅ、Ｃｕ、及びＡｌ）：各８０ｍｍ
酸化銅（ＣｕＯ）：６０ｍｍ×２（触媒同様磨いた銅を８００℃×１０分加熱）
２−エチルヘキサン酸：４０００ｐｐｍ（外割  ０．４質量％）
【００５１】
表６に、上記結果を示す。
【表６】
0005909083.tif 000011
＊ＢＴＡ：Ｎ，Ｎ−ビス（２−エチルヘキシル）−４−メチルベンゾトリアゾール−１−メチルアミン及びＮ，Ｎ−ビス（２−エチルヘキシル）−５−メチルベンゾトリアゾール−１−メチルアミンの混合物（金属不活性化剤）
【００５２】
図６に、金属不活性化剤の添加量と銅メッキ発生量との関係を示す。同図において、横軸がＢＴＡの添加量、縦軸が銅メッキ発生量である。図６によれば、金属不活性化剤の添加量が多くなるにつれて、銅メッキ発生量は低下した。上記結果によれば、金属不活性化剤の添加量は、１００ｐｐｍ以上、好ましくは３００ｐｐｍ以上、更に好ましくは５００ｐｐｍ以上とすることで、銅メッキの発生量を抑制することができる。
【図１】
0005909083.tif 000014
【図２】
0005909083.tif 000015
【図３】
0005909083.tif 000016
【図４】
0005909083.tif 000017
【図５】
0005909083.tif 000018
【図６】
0005909083.tif 000019